(57)【特許請求の範囲】
【請求項１】
一対の脚部を有し、その脚部に挿通孔が形成された被取付け体と、
側部材を有し、この側部材に一対の脚部と対応する間隔で取付け孔が形成されたベッド本体と、
内面が上記脚部の外面に対応する形状に形成されその内面に上記挿通孔及び上記取付け孔に挿入可能なねじ軸の一端が連結固定された保持部材と、
上記ねじ軸を上記脚部の挿通孔及び上記側部材の取付け孔に順次挿通させたときにこのねじ軸の上記側部材から突出した端部にねじ込むことで上記脚部を上記ねじ軸を介して上記保持部材と上記側部材とで挟持固定させるめねじを具備し、
上記側部材は上下方向に対して中間部材、第１の部材及び第２の部材に三分割されているとともに、上記中間部材は上記第１、第２の部材よりも厚さ寸法が大きく設定されていて、
上記第１の部材と第２の部材は、外面を上記中間部材の外面と面一にしてこの中間部材の上面と下面とにそれぞれ連結固定され、上記中間部材の上記第１の部材と第２の部材の内面から突出した幅方向の一端部には上記ベッド本体に設けられる床板の幅方向の端部が係合保持されることを特徴とするベッド装置。
【請求項２】
上記被取付け体の脚部には、上記側部材の外面に面接触する平面を有する板部材が固着されていることを特徴とする請求項１記載のベッド装置。
【請求項３】
上記保持部材の外面は弾性材によって被覆されていることを特徴とする請求項１記載のベッド装置。
【請求項４】
上記第１の部材と第２の部材は異なる高さ寸法に設定されていることを特徴とする請求項１記載のベッド装置。
【発明の詳細な説明】
【技術分野】
【０００１】
この発明はベッド本体の側部材にたとえば手摺りや側柵などの被取付け体が設けられるベッド装置に関する。
【背景技術】
【０００２】
一般に、ベッド装置は一対の側部材の長手方向一端にヘッドボードが連結され、他端にフットボードが連結されてベッド本体が構成されている。このベッド本体の一対の側部材間には床板が上記側部材の内面に設けられた受け桟に幅方向の両端部を係合させて架設されている。そして、この床板上にマットレスが載置される。
【０００３】
ベッド装置の利用者が老人や体の不自由な人の場合、上記側部材には利用者がマットレス上から起き上がったり仰臥するときに掴まるための手摺りを設けたり、利用者が就寝中にマットレス上から落ちるのを防止するための側柵を設けるということが行なわれる。上記側部材には、手摺りや側柵に代わり、利用者が小物類を置くためにテーブルが取付けられるということもある。
【０００４】
上記手摺り、側柵或いはテーブルなどの被取付け体を上記側部材に取付け固定する場合、ベッド本体の側部材に差し込み穴を形成し、この穴に側柵の脚部を差し込むことで、側柵を側部材に取付けるようにした構造が知られている。このような構造の従来技術は特許文献１に示されている。
【０００５】
側柵などの被取付け部材を側部材に対して着脱可能に取付ける場合は脚部を差し込み穴に差し込むだけの構造で差し支えない。しかしながら、利用時に被取付け部材が側部材から外れるのを防止するためには、その被取付け部材をベッド本体の側部材に固定して設けることが必要となる。
【０００６】
上記手摺り、側柵或いはテーブルなどの被取付け体を上記側部材に固定して取付ける場合、この被取付け部材に所定の間隔で設けられた一対の脚部の下端部に挿通孔を形成する。また、ベッド本体の側部材には一対の脚部に形成された挿通孔と対応する間隔で取付け孔を形成する。
【０００７】
そして、上記脚部の挿通孔から上記側部材の取付け孔にねじ軸を通し、上記側部材の内面に突出した上記ねじ軸の端部にめねじを締め込むことで、上記被取付け部材を上記ねじ軸によって上記側部材に取付け固定するということが行なわれていた。
【０００８】
しかしながら、被取付け部材に設けられた一対の脚部の下端部を、それぞれ１本のねじ軸によって側部材に取付け固定するようにしたのでは、被取付け部材はねじ軸によって連結された下端部を支点として前後方向にがたつき易いということがある。
【０００９】
そこで、従来は被取付け部材の一対の脚部の下端部にそれぞれ２つの挿通孔を上下方向に所定間隔で形成する一方、側部材には２つの挿通孔と対向するよう上下方向に２つの取付け孔を形成する。そして、一対の脚部をそれぞれ２本のねじ軸によって側部材に連結固定することで、被取付け部材が側部材に対して前後方向にがたつくのを防止するようにしている。
【特許文献１】実公平７−４８２５４号公報
【発明の開示】
【発明が解決しようとする課題】
【００１０】
しかしながら、被取付け部材の一対の脚部をそれぞれ２本のねじ軸で側部材に取付けるようにすると、合計で４本のねじ軸が必要となる。そのため、２本のねじ軸を用いて取付け固定する場合に比べて取付け作業に手間が掛かるということがあったり、ねじの数に応じて挿通孔や取付け孔を形成しなければならないから、それらの加工に手間が掛かるということがある。さらに、脚部を側部材に取付けた状態では、ねじ軸の頭が外部に露出するため、外観的が損なわれるということもあった。
【００１１】
この発明は、側部材に被取付け部材を容易かつ確実に取付け固定することができるようにしたベッド装置を提供することにある。
【課題を解決するための手段】
【００１２】
この発明は、一対の脚部を有し、その脚部に挿通孔が形成された被取付け体と、
側部材を有し、この側部材に一対の脚部と対応する間隔で取付け孔が形成されたベッド本体と、
内面が上記脚部の外面に対応する形状に形成されその内面に上記挿通孔及び上記取付け孔に挿入可能なねじ軸の一端が連結固定された保持部材と、
上記ねじ軸を上記脚部の挿通孔及び上記側部材の取付け孔に順次挿通させたときにこのねじ軸の上記側部材から突出した端部にねじ込むことで上記脚部を上記ねじ軸を介して上記保持部材と上記側部材とで挟持固定させるめねじを具備し、
上記側部材は上下方向に対して中間部材、第１の部材及び第２の部材に三分割されているとともに、上記中間部材は上記第１、第２の部材よりも厚さ寸法が大きく設定されていて、
上記第１の部材と第２の部材は、外面を上記中間部材の外面と面一にしてこの中間部材の上面と下面とにそれぞれ連結固定され、上記中間部材の上記第１の部材と第２の部材の内面から突出した幅方向の一端部には上記ベッド本体に設けられる床板の幅方向の端部が係合保持されることを特徴とするベッド装置にある。
【００１３】
上記被取付け体の脚部には、上記側部材の外面に面接触する平面を有する板部材が固着されていることが好ましい。
【００１４】
上記保持部材の外面は弾性材によって被覆されていることが好ましい。
【００１６】
上記第１の部材と第２の部材は異なる高さ寸法に設定されていることが好ましい。
【発明の効果】
【００１７】
この発明によれば、被取付け部材の１つの脚部を１つのねじ軸で側部材に固定しても、その脚部は保持部材と側部材とによって挟持固定されるから、上記脚部を上記側部材に下端部を支点として前後方向にがたつくようなことなく、強固に取付け固定することが可能となる。
【発明を実施するための最良の形態】
【００１８】
以下、この発明の一実施の形態の形態を図面を参照して説明する。  
図１はベッド装置の斜視図であって、このベッド装置はベッド本体１を備えている。このベッド本体１は図２（ａ）、（ｂ）に示すように所定間隔で平行に離間した一対の側部材２を有する。これら側部材２の長手方向一端にはヘッドボード３が連結固定され、他端にはフットボード４が連結固定されている。
【００１９】
上記一対の側部材２の長手方向の両端部にはそれぞれ脚体５の一端が枢着されている。ベッド本体１の幅方向において対応する各一対の脚体５の一端部と他端部は連結杆６ａ，６ｂによって連結されている。
【００２０】
上記ベッド本体１の幅方向一端側に位置する一方の脚体５には図２（ｂ）に示すように段階状の係合部７が長手方向に沿って形成されている。この係合部７には一端が上記側部材２に枢着された係止部材８の他端に設けられた図示しない係止部材が着脱可能に係合する。それによって、上記脚体５は所定の傾斜角度で保持されるようになっている。つまり、脚体５の傾斜角度を変えることで、ベッド本体１の支持高さを調整できるようになっている。
【００２１】
上記側部材２は図４に示すように金属製の角パイプからなる中間部材１１を有する。この中間部材１１の上面には木材や合成樹脂によって帯板状に形成された第１の部材１２が設けれ、下面には同じく帯板状の第２の部材１３が設けられる。中間部材１１は第１、第２の部材１２，１３よりもベッド本体１の幅方向に沿う厚さ寸法が大きく設定されている。
【００２２】
第１、第２の部材１２，１３は外面を中間部材１１の外面と面一にして配置されている。そして、第１、第２の部材１２，１３と中間部材１１は、一辺を第１、第２の部材１２，１３の内面に固定し、他辺を中間部材１１の上下面固定した断面形状がＬ字状の一対の連結部材１６によって一体的に連結されている。つまり、側部材２は上下方向に対して三分割されている。
【００２３】
上記中間部材１１の厚さ方向の一端部は第１、第２の部材１２，１３の内面よりもベッド本体１の幅方向内方に突出していて、その突出部分には図６（ａ）に示す第１の床板１５ａが幅方向の端部を係合させて設けられている。第１の床板１５の上下方向の厚さ寸法は第１の部材１２の高さ寸法とほぼ同じに設定されている。それによって、第１の床板１５ａの上面が側部材２の上端から上方へ突出しないようになっている。そして、第１の床板１５ａの上面には図１に示すようにマットレスＭが載置される。
【００２４】
上記第１の部材１２は第２の部材１３よりも高さ寸法が小さく設定されている。そのため、図６（ｂ）に示すように側部材２を第２の部材１３が上になるようにして使用すれば、この第２の部材１３の高さ寸法に対応する厚さ寸法の第２の床板１５ｂ、つまり第１の床板１５ａよりも厚手の第２の床板１５ｂを、上面が側部材２の上端から上方へ突出しない状態でベッド本体１に架設することができる。
【００２５】
つまり、側部材２を上下方向に三分割したことで、厚さの異なる第１の床板１５ａ或いは第２の床板１５ｂ、つまり構造の異なる床板１５ａ又は１５ｂを選択的に使用する場合に、これら床板の上面が側部材２の上端から上方へ突出しないよう架設することができる。
【００２６】
しかも、中間部材１１の厚さ寸法を第１、第２の部材１２，１３の厚さ寸法よりも大きくし、その厚さ方向の一端部を第１、第２の部材１２，１３の内面側に突出させた。そのため、中間部材１１の突出した幅方向の一端部に床板１５ａ又は１５ｂの幅方向両端部を係合させて支持することができる。つまり、側部材２の内面に床板１５ａ，１５ｂを架設するための受け桟を設けなくてすむ。
【００２７】
上記ベッド本体１の一側には被取付け部材としての手摺り２１が取付けられる。この手摺り２１は図１と図２（ｂ）に示すようにパイプ材を逆Ｕ字状に曲成して形成されている。すなわち、手摺り２１は中間部２２ａと、この中間部２２ａの両端に設けられた一対の脚部２２ｂとによって形成されている。
【００２８】
なお、手摺り２１は脚部２２ｂの下端部を除く部分がウレタンフォームなどの弾性材２３によって被覆されている。  
図３と図５に示すように、上記手摺り２１の一対の脚部２２ｂの下端部には平らな板部材２４が上下方向に沿って固着されている。この板部材２４の長さは上記側部材２の高さ寸法よりもわずかに長尺に設定されている。
【００２９】
一対の脚部２２ｂの板部材２４が固着された部分には、上下方向に所定間隔で離間した一対の挿通孔２５が脚部２２ｂの径方向に沿って穿設されている。つまり、挿通孔２５は脚部２２ｂ及び板部材２４にわたって穿設されている。上記側部材２の中間部材１１には一対の脚部２２ｂに形成された挿通孔２５の間隔の２分の１の間隔で複数の取付け孔２６が幅方向に貫通して穿設されている。
【００３０】
上記手摺り２１は保持部材２８によって上記側部材２に取付け固定される。この保持部材２８は、図５に示すように内径寸法が上記脚部２２ｂの外径寸法とほぼ同じ大きさに設定された断面Ｕ字形状をなしていて、長さ寸法は上記脚部２２ｂに固着された板部材２４とほぼ同じに設定されている。
【００３１】
この保持部材２８の内面の高さ方向中途部にはねじ軸２９の一端が溶接などの手段によって固着されている。このねじ軸２９の他端部には他の部分よりも小径になっていて、この部分にはおねじ部３０が形成されている。さらに、保持部材２８の外面はウレタンフォームなどの弾性材３１によって被覆されている。
【００３２】
そして、上記保持部材２８によって手摺り２１を側部材２に取付け固定するには、保持部材２８のねじ軸２９を手摺り２１の一対の脚部２２ｂの下端部に穿設された上下一対の挿通孔２５の一方、たとえば下側の挿通孔２５に挿通し、この保持部材２８を脚部２２ｂの下端部に被着する。それによって、ねじ軸２９のおねじ部３０の形成された他端部が板部材２４から突出する。
【００３３】
ついで、ねじ軸２９の板部材２４から突出した他端部を側部材２の中間部材１１に穿設された取付け孔２６に挿入する。それによって、ねじ軸２９のおねじ部３０が形成された他端部が中間部材１１の内側の側面から突出するから、そのおねじ部３０にめねじ３２を平ワッシャ３３及びスプリングワッシャ３４を介して螺合する。
【００３４】
そして、めねじ３２を締め込めば、側部材２の外面に脚部２２ｂに固着された板部材２４が圧接して手摺り２１が側部材２に固定される。つまり、脚部２２ｂの板部材２４が固着された下端部は、保持部材２８の内面と側部材２の外面とで挟持固定されることになる。
【００３５】
このようにして側部材２に手摺り２１を取付け固定するようにすれば、手摺り２１の一対の脚部２２ｂは、この脚部２２ｂに固着された板部材２４が側部材２の外面に接触する範囲で、この側部材２と保持部材２８とによって挟持固定される。
【００３６】
このとき、脚部２２ｂは、保持部材２８の内面に面接触し、側部材２の外面には板部材２４を介して面接触した状態で挟持固定される。
【００３７】
つまり、脚部２２ｂは側部材２に対してねじ軸２９の部分だけでなく、保持部材２８が脚部２２ｂに接触する長さと、板部材２４が側部材２の外面に接触する長さの面接触状態で上記側部材２に挟持固定されることになる。
【００３８】
そのため、脚部２２ｂの下端部を１本のねじによって側部材２に取付け固定していた従来に比べ、上記脚部２２ｂを、手摺り２１が前後方向にがたつくようなことなく強固に取付け固定することができる。
【００３９】
内面にねじ軸２９が設けられた保持部材２８の外面を弾性材３１によって被覆した。そのため、ねじ軸２９が外部に露出しないから外観的に良好であるばかりか、保持部材２８に接触するようなことがあっても、感触が良好であるとともに、利用者が進退の一部を強くぶつけた場合などに怪我をするのを防止することもできる。
【００４０】
側部材２は中間部材１１、第１の部材１２及び第２の部材１３に三分割している。中間部材１１は第１、第２の部材１２，１３よりもベッド本体１の幅方向に沿う厚さ寸法を大きくしている。
【００４１】
そのため、中間部材１１に対して第１、第２の部材１２，１３をこれらの外面を面一にして連結固定すれば、中間部材１１の厚さ方向の一端部が側部材２の内面側に突出する。したがって、中間部材１１の一端部を床板１５ａ又は１５ｂをベッド本体１に架設するための受け桟として兼用することができる。
【００４２】
側部材２の第１の部材１２と第２の部材１３とを異なる高さ寸法とした。そのため、第１の部材１２と第２の部材１３のどちらを上にして側部材２を使用するかによって、厚さの異なる床板１５ａ又は１５ｂを上面が側部材２の上端から上方に突出しない状態で使用することが可能となる。
【００４３】
手摺り２１の一対の脚部２２ｂに歯上下方向に一対の挿通孔２５を穿設した。そのため、上下いずれの挿通孔にねじ軸２９を挿通して手摺り２１を側部材２に取付けるかによって、ベッド本体１に対する手摺り２１の取り付けたかさを変えることができる。
【００４４】
上記一実施の形態では脚部の下端部に板部材を固着し、脚部を保持部材と側部材とで挟持固定したときに、この脚部を板部材によって側部材の外面に面接触させるようにしたが、板部材を設けずに、脚部を直接、側部材の外面に当てることで、この脚部を側部材の外面に線接触させるようにしてもよい。線接触であっても、脚部の所定の長さが保持部材と側部材とによって挟持固定されるから、十分な取付け強度を得ることができる。
【００４５】
また、保持部材の内面を脚部の外面に対応する円弧状に形成することで、その内面を脚部に面接触させるようにしたが、保持部材の半径を脚部の半径よりもわずかに大きくすることで、保持部材の内面を脚部の外面に線接触させるようにしてもよく、要は保持部材の内面が脚部の外面に対応する形状に形成されていればよい。
【図面の簡単な説明】
【００４６】
【図１】この発明の一実施の形態を示すベッド装置の斜視図。
【図２】（ａ）はベッド本体の平面図、（ｂ）はベッド本体の側面図。
【図３】手摺りと保持部材を示す側面図。
【図４】手摺りを側部材に取付けた状態を示す一部断面した側面図。
【図５】手摺りの脚部に保持部材を装着した状態を示す横断面図。
【図６】（ａ）は側部材に第１の床板を架設した説明図、（ｂ）は同じく第２の床板を架設した説明図。
【符号の説明】
【００４７】
１…ベッド本体、２…側部材、１１…中間部材、１２…第１の部材、１３…第２の部材、２１…手摺り（被取付け体）、２２ｂ…脚部、２４…板部材、２５…挿通孔、２６…取付け孔、２８…保持部材、２９…ねじ軸、３０…おねじ部、３１…弾性材。
【図１】
0004611913.tif 000002
【図２】
0004611913.tif 000003
【図３】
0004611913.tif 000004
【図４】
0004611913.tif 000005
【図５】
0004611913.tif 000006
【図６】
0004611913.tif 000007